(57)【要約】      （修正有）【課題】テープ・ケースに傷を付けずに、テープ落下防止対策品を取り付ける事により地震、機械的、その他の振動で、コンピューター等のデータテープの落下を防ぐ、テープ落下防止対策品の提供。【解決手段】収納ケース６（例えば、ＩＢＭ（登録商標）製テープ・ケース（商品番号3695528））と本体１とを容易に固定する為のケース固定用爪２を一体成形にて製作する。テープ固定バー３の補強および安全の為、スプリング付蝶番４を複数設ける。テープの取り出しの際にテープ固定バー３に当たらない様にする。ストッパー５は、スペースを取らない構造にし、操作が簡単に出来る様にする。テープ固定バー３を手前に引く事によりストッパー５が自重で下がりストッパー解除する。【選択図】図１
0003115723.tif 000002
【実用新案登録請求の範囲】
【請求項１】
ＩＢＭ製テープ・ケース（商品番号３６９５５２８）に傷付けず、ＴＳＰ−１０００を取り付ける事により地震、機械的、その他の振動で、コンピューター等のデータテープの落下を防ぐ、ＴＳＰ−１０００。
ＩＢＭ製テープ・ケース（商品番号３６９５５２８）にケース固定爪にて容易に取り付け可能で、スプリング付蝶番を複数設け万が一、一部の蝶番のスプリングが故障した場合も、他の蝶番が動作する事により安全性を高めている。
【考案の詳細な説明】
【技術分野】
【０００１】本考案は、地震、機械的、その他の振動でデータテープの落下を防ぐ、ＴＳＰ−１０００に関するものである。
【背景技術】
【０００２】地震、機械的、その他の振動で、データテープが落下し破損する恐れがあった。場合によっては、破損したテープ内のデータの復旧に多大な費用が掛かったり、大量に落下したデータテープの片付けに無駄な時間が掛る恐れがあった。
【考案の開示】
【考案が解決しようとす課題】
【０００３】地震、機械的、その他の振動で、大切なデータテープが落下し破損した場合経済的負担も大きく、テープの片付けは時間的、労働的負担である。
その為扉付きの収容箱を設置したり、つっかえ棒の様な物を取り付けた為、データテープを使用する場合、取り出しが困難を極め非効率的であった。
従って本品は小スペースで取り付けが容易に出来、データテープの取り出しも容易な上、データテープの落下を防ぐ事が可能になり、前述の欠点を解決しようとする物である。
【課題を解決するための手段】
【０００４】本考案は、ケース固定爪にて固定する為、ＩＢＭ製テープ・ケース（商品番号３６９５５２８）に傷を付けず、取り付けが容易である。
テープの取り出しが容易で、必要に応じテープ固定バーを開けた状態でストッパーによりロックが容易である。
スプリング付蝶番を利用し簡単にテープ固定バーが閉まり、テープ落下防止状態に成る。
難燃性ＦＲ樹脂素材等を採用し、軽量でコンパクトである。
【考案の効果】
【０００５】上述の様に、本考案のＴＳＰ−１０００はテープの落下を防ぎまた、テープの取り出しも容易で軽量な為、ＩＢＭ製テープ・ケース（商品番号３６９５５２８）ごと持ち運ぶ事も可能である。
【考案の実行するための最良の形状】
【０００６】ＩＢＭ製テープ・ケース（商品番号３６９５５２８）に傷付けづに、取り付けが容易に出来るようにする。
振動に備えスプリング付蝶番を使用し、テープ固定バーが閉まった状態にする。テープの取り出しの時、テープがテープ固定バーに当たらない様に、蝶番の取り付け位置を下げる。
軽量化の為、難燃性ＦＲ樹脂素材にて製作する。
【実施例】
【０００７】以下、添付図面に従って一実施例を説明する。
耐久性および軽量化する為、▲１▼〜▲３▼▲５▼は難燃性ＦＲ樹脂素材等にて製作する。▲６▼ＩＢＭ製テープ・ケース（商品番号３６９５５２８）▲１▼本体を容易に固定する為の▲２▼ケース固定用爪を一体成形にて製作する。
▲３▼テープ固定バーの補強および安全の為▲４▼スプリング付蝶番を複数設ける。
テープの取り出しの際に▲３▼テープ固定バーに当たらない様にする。
▲５▼ストッパーは、スペースを取らない構造にし、操作が簡単に出来る様にする。
▲１▼テープ固定バーを手前に引く事により▲５▼ストッパーが自重で下がりストッパー解除する。【０００８】取り付けは
【図１】
の通り、▲２▼ケース固定爪の部分を矢印（⇒）の方向に押し込む事により、▲６▼ＩＢＭ製テープ・ケース（商品番号３６９５５２８）に傷付けずに容易に取り付けが出来る。
【０００９】テープの取り出し方法は
【図２】
の通り、▲３▼テープ固定バーを引き▲５▼ストッパーを押す。
テープの取り出しは、可能と成ります。
ストッパーの解除は、▲３▼テープ固定バーを抑え▲５▼ストッパーを引く事により、▲３▼テープ固定バーが、▲４▼スプリング蝶番の力で戻り、テープの落下を防ぎます。
【図面の簡単な説明】
【００１０】
【図１】本考案のＴＳＰ−１０００の実行例を示す立体図である。
【図２】本考案のＴＳＰ−１０００の実行例を示す側面図である。
【符号の説明】
【００１１】▲１▼本体
▲２▼ケース固定爪
▲３▼テープ固定バー
▲４▼スプリング付蝶番
▲５▼ストッパー
▲６▼ＩＢＭ製テープ・ケース（商品番号３６９５５２８）
【図１】
0003115723.tif 000003
【図２】
0003115723.tif 000004
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
複数のテープを複数の段に収納する収納ケースの前面に配置する収納ケース用カバーであって、
前記収納ケースの前記前面の周囲に嵌合可能な形状の枠部材と、各々の前記段の下部に対応する位置に、前記テープの取り出しに干渉しないように配置される支持部材とからなる本体と、
前記支持部材の上部にスプリング付蝶番によって開閉可能に支持され、前記スプリング付蝶番のスプリング機能により、通常状態においてその主面が前記前面に略平行な閉状態になるテープ固定バーと、
前記テープ固定バーの両端部に配置され、前記テープ固定バーを前記支持部材に対して開状態及び閉状態の各々で固定するストッパーと、を少なくとも備えることを特徴とする収納ケース用カバー。
【手続補正２】
【補正対象書類名】明細書
【補正対象項目名】全文
【補正方法】変更
【補正の内容】
【考案の詳細な説明】
【技術分野】
【０００１】
本考案は、収納ケース用カバーに関し、特に、複数のデータテープを収納する収納ケースの前面に取り付ける収納ケース用カバーに関する。
【背景技術】
【０００２】
データを記録するデータテープは、図１に示すように、複数のデータテープを複数の段に分けて収納する収納ケース６に収納されて保管される。
【考案の開示】
【考案が解決しようとする課題】
【０００３】
しかしながら、従来の収納ケースは、データテープを単に差し込んで収納するだけであり、地震、機械的、その他の振動で、大切なデータテープが落下し破損した場合経済的負担も大きく、テープの片付けは時間的、労働的負担である。その為扉付きの収容箱を設置したり、つっかえ棒の様な物を取り付けたものもあるが、このような構造ではデータテープを使用する場合、取り出しが困難を極め非効率的であった。
本考案は上記課題に鑑みてなされたものであり、その主たる目的は、小スペースで取り付けが容易に出来、データテープの取り出しも容易な上、データテープの落下を防ぐ事が可能な収納ケース用カバーを提供することにある。
【課題を解決するための手段】
【０００４】
上記目的を達成するため、本考案は、複数のテープを複数の段に収納する収納ケースの前面に配置する収納ケース用カバーであって、前記収納ケースの前記前面の周囲に嵌合可能な形状の枠部材と、各々の前記段の下部に対応する位置に、前記テープの取り出しに干渉しないように配置される支持部材とからなる本体と、前記支持部材の上部にスプリング付蝶番によって開閉可能に支持され、前記スプリング付蝶番のスプリング機能により、通常状態においてその主面が前記前面に略平行な閉状態になるテープ固定バーと、前記テープ固定バーの両端部に配置され、前記テープ固定バーを前記支持部材に対して開状態及び閉状態の各々で固定するストッパーと、を少なくとも備えるものである。このように、本考案は、ケース固定爪にて固定する為、収納ケースに傷を付けず、取り付けが容易である。
テープの取り出しが容易で、必要に応じテープ固定バーを開けた状態でストッパーによりロックが容易である。
スプリング付蝶番を利用し簡単にテープ固定バーが閉まり、テープ落下防止状態に成る。
難燃性ＦＲ樹脂素材等を採用し、軽量でコンパクトである。
【考案の効果】
【０００５】
本考案の収納ケース用カバーによれば、テープの落下を防ぎまた、テープの取り出しも容易で軽量な為、収納ケースごと持ち運ぶ事も可能である。
【考案を実施するための最良の形態】
【０００６】
本考案の収納ケース用カバーは、その好ましい一実施の形態において、収納ケースの前面の周囲に嵌合可能な形状であって、必要に応じて収納ケースに係合するケース固定爪を有する枠部材と、各々の段の下部に対応する位置に、前記テープの取り出しに干渉しないように配置される支持部材とからなる本体と、支持部材の上部にスプリング付蝶番によって開閉可能に支持され、スプリング付蝶番のスプリング機能により、通常状態においてその主面が前面に略平行な閉状態になるテープ固定バーと、テープ固定バーの両端部に配置され、テープ固定バーを支持部材に対して開状態及び閉状態の各々で固定するストッパーと、を少なくとも備えるものであり、収納ケースに傷付けずに、取り付けが容易に出来るようにする。
振動に備えスプリング付蝶番を使用し、テープ固定バーが閉まった状態にする。
テープの取り出しの時、テープがテープ固定バーに当たらない様に、蝶番の取り付け位置を下げる。
軽量化の為、難燃性ＦＲ樹脂素材にて製作する。
【実施例】
【０００７】
以下、添付図面に従って一実施例を説明する。図１は、収納ケース用カバーの構造を示す立体図であり、図２は、図１の手前方向から見た側面図である。
耐久性および軽量化する為、本体１、ケース固定爪２、テープ固定バー３、ストッパ５は難燃性ＦＲ樹脂素材等にて製作する。
収納ケース６（例えば、ＩＢＭ（登録商標）製テープ・ケース（商品番号3695528））と本体１とを容易に固定する為のケース固定用爪２を一体成形にて製作する。
テープ固定バー３の補強および安全の為、スプリング付蝶番４を複数設ける。
テープの取り出しの際にテープ固定バー３に当たらない様にする。
ストッパー５は、スペースを取らない構造にし、操作が簡単に出来る様にする。
テープ固定バー３を手前に引く事によりストッパー５が自重で下がりストッパー解除する。
【０００８】
取り付けは図１の通り、ケース固定爪２の部分を矢印（⇒）の方向に押し込む事により、収納ケース６に傷付けずに容易に取り付けが出来る。
【０００９】
テープの取り出し方法は図２の通り、テープ固定バー３を引きストッパー５を押す。
これによりテープの取り出しは、可能となる。
ストッパー５の解除は、テープ固定バー３を抑えストッパー５を引く事により、テープ固定バー３が、スプリング付蝶番４の力で戻り、テープの落下を防ぐことができる。
【図面の簡単な説明】
【００１０】
【図１】本考案の一実施例に係る収納ケース用カバーの構造を示す立体図である。
【図２】本考案の一実施例に係る収納ケース用カバーの構造を示す側面図である。
【符号の説明】
【００１１】
１  本体
２  ケース固定爪
３  テープ固定バー
４  スプリング付蝶番
５  ストッパ
６  収納ケース